(57)【要約】【課題】避難行動、消火活動・救助活動などを好適に行うことを可能にする避難設備を提供する。【解決手段】複数の開閉バルブと、火災時に開閉バルブの開動とともに水Ｗを噴出する複数の噴出ノズル９と、複数の開閉バルブを開閉制御する制御装置とを備え、制御装置が複数の開閉バルブの全て、あるいは一部をそれぞれ個別に開閉制御することで、模様、文字、記号、図の少なくとも一種を表示した水絵３を形成するように構成する。【選択図】図２
2017209152.tif 000002
【特許請求の範囲】
【請求項１】
複数の開閉バルブと、火災時に前記開閉バルブの開動とともに水を噴出する複数の噴出ノズルと、前記複数の開閉バルブを開閉制御する制御装置とを備え、
前記制御装置が前記複数の開閉バルブの全て、あるいは一部をそれぞれ個別に開閉制御することで、模様、文字、記号、図の少なくとも一種を表示した水絵を形成するように構成されていることを特徴とする避難設備。
【請求項２】
請求項１記載の避難設備において、
前記制御装置が前記模様、文字、記号、図の少なくとも一種が繰り返し表示されるように前記複数の開閉バルブの全て、あるいは一部を開閉制御することを特徴とする避難設備。
【請求項３】
請求項１または請求項２のいずれか一項に記載の避難設備において、
前記制御装置が、複数種の事象検知信号のそれぞれに対応した模様、文字、記号、図の少なくとも一種が選択的に前記水絵に表示されるように、前記複数の開閉バルブの全て、あるいは一部の開閉制御を行うことを特徴とする避難設備。
【請求項４】
請求項１から請求項３のいずれか一項に記載の避難設備において、
前記水絵に光を照射する投光手段を備え、
前記投光手段から光を照射して前記水絵を単色あるいは複数色で着色するように構成されていることを特徴とする避難設備。
【請求項５】
請求項４記載の避難設備において、
前記投光手段が前記水絵の全体又は一部の色を時間ごとに変化させるように構成されていることを特徴とする避難設備。
【請求項６】
請求項４または請求項５のいずれかに記載の避難設備において、
前記制御装置が、複数種の事象検知信号のそれぞれに対応した模様、文字、記号、図の少なくとも一種が選択的に前記水絵に表示されるように、前記複数の開閉バルブの全て、あるいは一部の開閉制御、及び／又は前記投光手段の光の照射制御を行うことを特徴とする避難設備。
【発明の詳細な説明】
【技術分野】
【０００１】
本発明は、避難設備に関する。
【背景技術】
【０００２】
例えば、病院、オフィスビル、工場、トンネル、地下駐車場などの建物・施設には、火災が発生した際に、火災検知器などの自動通報設備や押しボタン通報設備などの手動通報設備からの信号を受け、所定の時間経過後に自動的に水噴出用自動弁を開放して噴出ヘッドから一斉に水を放出する水噴出設備が消火設備／防火設備として設けられている。このような消火設備を備えることで、火災時の人命保護、延焼防止、鎮火、建物・施設や設備の保護などが図れるようにしている。
【０００３】
一方、火災時に複数の水幕用噴出ノズルから一斉に水を放出して水幕を形成することにより煙や火炎の通過を防止し、防火区画を形成するための防火設備（避難設備）も多用されている。このような水幕を形成する防火設備を備えることによって、さらに火災時の人命保護、延焼防止、鎮火、建物・施設や設備の保護などが図れるようにしている（例えば、特許文献１、特許文献２、特許文献３参照）。
【先行技術文献】
【特許文献】
【０００４】
【特許文献１】特開２０１５−０８４８２３号公報
【特許文献２】特開２００７−０７５１７０号公報
【特許文献３】特開２０１３−２０２１０２号公報
【発明の概要】
【発明が解決しようとする課題】
【０００５】
一方、上記のように水幕を形成するように構成した防火設備（避難設備）においては、水幕によって一方の側から他方の側（反対側）が見えにくくなり、あるいは見えなくなり、反対側の状況が分からなくなってしまう場合がある。
【０００６】
この場合には、水幕によって煙や火炎の通過を防止できるという大きな効果が発揮される反面、避難者の適切な避難行動（適切な非難経路の判別など）、消防士等による迅速な消火活動・救助活動の支障になることも考えられる。
【０００７】
また、水幕によって遮熱性能が得られるが、このような水幕を形成するために高い水圧が必要になる。このため、水幕を形成する防火設備を例えば一般のスプリンクラー設備や屋内消火栓設備とは個別に設ける必要が生じ、その設備に高額の費用が必要になってしまう。
【０００８】
本発明は、上記事情に鑑み、水幕によって防火・防煙を図るようにした場合であっても、避難行動、消火活動・救助活動などを好適に行うことを可能にする避難設備を提供することを目的とする。
【課題を解決するための手段】
【０００９】
上記の目的を達するために、この発明は以下の手段を提供している。
【００１０】
本発明の避難設備は、複数の開閉バルブと、火災時に前記開閉バルブの開動とともに水を噴出する複数の噴出ノズルと、前記複数の開閉バルブを開閉制御する制御装置とを備え、前記制御装置が前記複数の開閉バルブの全て、あるいは一部をそれぞれ個別に開閉制御することで、模様、文字、記号、図の少なくとも一種を表示した水絵を形成するように構成されていることを特徴とする。
【００１１】
また、本発明の避難設備においては、前記制御装置が前記模様、文字、記号、図の少なくとも一種が繰り返し表示されるように前記複数の開閉バルブの全て、あるいは一部を開閉制御することが望ましい。
【００１２】
さらに、本発明の避難設備においては、前記制御装置が、複数種の事象検知信号のそれぞれに対応した模様、文字、記号、図の少なくとも一種が選択的に前記水絵に表示されるように、前記複数の開閉バルブの全て、あるいは一部の開閉制御を行うことがより望ましい。
【００１３】
また、本発明の避難設備においては、前記水絵に光を照射する投光手段を備え、前記投光手段から光を照射して前記水絵を単色あるいは複数色で着色するように構成されていることがさらに望ましい。
【００１４】
さらに、本発明の避難設備においては、前記投光手段が前記水絵の全体又は一部の色を時間ごとに変化させるように構成されていることが望ましい。
【００１５】
また、本発明の避難設備においては、前記制御装置が、複数種の事象検知信号のそれぞれに対応した模様、文字、記号、図の少なくとも一種が選択的に前記水絵に表示されるように、前記複数の開閉バルブの全て、あるいは一部の開閉制御、及び／又は前記投光手段の光の照射制御を行うことが望ましい。
【発明の効果】
【００１６】
本発明の避難設備においては、制御装置が複数の開閉バルブの全て、あるいは一部を開閉制御し、複数の噴出ノズルから出る時間当たりの水の量をそれぞれ開閉バルブで制御することによって、避難口誘導灯のような図柄など、その場に適したあらゆる模様や、文字、記号、図を示す水絵を形成することが可能になる。
【００１７】
これにより、避難者などに、避難口が反対側にあることや、火災が発生したこと、地震が発生したこと、反対側に行ってはいけないことなどを水絵の模様や、文字、記号、図によって認識させることができる。
【００１８】
また、水絵に模様や、文字、記号、図を形成・表示することで、水幕のような水絵を挟んで一方の側から、水の噴出が途切れる等した部分を通じて他方の側（反対側）を臨むことができる。これにより、水絵で防火区画を形成した状態であっても、避難者や消防士等が水絵を挟んで反対側の状況を把握することが可能になる。
【００１９】
よって、本発明の避難設備によれば、水幕のような水絵に模様や、文字、記号、図を形成・表示することで、より好適な避難行動をとるように避難者を避難誘導することが可能になる。また、この水幕のような水絵が避難者の適切な避難行動や、消防士等による迅速な消火活動・救助活動の支障になることないようにしながら、水絵によって防火・防煙を図ることも可能である。
また、事象検知信号の種類に応じて水絵の表示を行うので、火災・地震などの事象に応じた対応を避難者や消防士等がとることができる。
【図面の簡単な説明】
【００２０】
【図１】本発明の一実施形態に係る避難設備を示す図である。
【図２】本発明の一実施形態に係る避難設備の水幕形成手段によって、避難シンボル（図）を表示した水絵が形成されている状態を示す図である。
【発明を実施するための形態】
【００２１】
以下、図１及び図２を参照し、本発明の一実施形態に係る避難設備について説明する。
【００２２】
ここで、本実施形態の避難設備は、病院、オフィスビル、工場、トンネル、地下駐車場などの建物・施設などに設けられ、火災時に火災検知器などの自動通報設備や押しボタン通報設備などの手動通報設備からの信号を受け、水を放出して水幕（ウォータースクリーン、ウォーターカーテン）のような水絵を形成する。
【００２３】
具体的に、本実施形態の避難設備Ａは、図１及び図２に示すように、火災検知器１などの自動通報設備や押しボタン通報設備２などの手動通報設備からの信号を受けて火災が検知されるとともに、水Ｗを放出させて水絵３を形成する水絵形成手段４を備えて構成されている。
【００２４】
さらに、本実施形態の避難設備Ａにおいては、水絵形成手段４で形成される水絵３に光を照射する投光手段５を備えて構成されている。
【００２５】
水絵形成手段４は、例えば、貯水槽６と、火災検知器１などの自動通報設備や押しボタン通報設備２などの手動通報設備からの信号に応じて駆動する圧送ポンプ７と、貯水槽６から圧送ポンプ７の駆動によって水Ｗ（消火剤／防火剤）を圧送するための主配管８と、主配管８から複数に分岐した分岐配管の先端にそれぞれ取り付けて配列され、圧送された水Ｗを噴出して水幕のような水絵３を形成するための複数の噴出ノズル９とを備えている。
【００２６】
さらに、水絵形成手段４は、複数の分岐配管にそれぞれ設けられ、その開閉駆動によって噴出ノズル９から水Ｗを噴出／停止させる複数の開閉バルブ１０と、主配管８に設けられ、水Ｗの圧送状態を検知する流水検知装置１１と、主配管８から各分岐配管に圧送される水Ｗの圧力を調節するための調圧バルブ１２と、流水検知装置１１で水Ｗの圧送が検知されるとともに、受信機１３を通じてこの検知結果を受け、各開閉バルブ１０の開閉駆動を制御する制御装置１４とを備えている。
【００２７】
さらに、本実施形態の水絵形成手段４は、主配管８から複数に分岐してスプリンクラー用分岐配管が設けられ、各スプリンクラー用分岐配管に接続し、水Ｗを噴射するスプリンクラー用噴出ヘッド（スプリンクラーヘッド）１５を備えて構成されている。
【００２８】
また、主配管８には、屋内消火栓用分岐配管が分岐接続され、この屋内消火栓用分岐配管に屋内消火栓１６が接続して設けられている。
【００２９】
さらに、本実施形態の水絵形成手段４においては、制御装置１４が複数の開閉バルブ１０の全て、あるいは一部を開閉制御し、複数の噴出ノズル９から出る時間当たりの水Ｗの量をそれぞれ開閉バルブ１０で制御することによって、水絵３の形状を変化させ、その意匠を変化させることができるように構成されている。すなわち、本実施形態では、開閉バルブ１０を間欠的に開閉制御し、各噴出ノズル９からの水Ｗの噴出量や、水Ｗの噴出／停止を間欠的に制御することによって、水幕のような水絵３に模様や、文字、記号、図（絵図）の少なくとも一種が形成・表示されるように構成されている。
【００３０】
一例を挙げるとすれば、水絵３の奥に避難口１７がある場合には、図２に示すように、天井部に複数配列された噴出ノズル９から噴出して落下する水Ｗの量をそれぞれ制御することにより、避難口誘導灯の避難シンボル１８のような図柄が水幕３に形成・表示されるようにする。
【００３１】
なお、噴出ノズル９から水Ｗを噴出して水絵３を形成することが可能であれば、必ずしも噴出した水Ｗが落下することによって水絵３を形成しなくてもよく、例えば横方向に水Ｗを噴出することで水絵３を形成するように構成してもよい。
【００３２】
さらに、本実施形態の避難設備Ａでは、主配管８の末端側に、末端試験弁２０とオリフィス２１からなる末端試験装置２２が設けられている。また、オリフィス２１はスプリンクラー用噴出ヘッド１５が１台作動した場合に相当する放水流量を流すように構成されている。そして、この末端試験装置２２においては、末端試験弁２０を開動させ、オリフィス２１にスプリンクラー用噴出ヘッド１５の１台の作動に相当する試験流量を流すことで、所定の放水圧力が得られているか否かを確認することができる。
【００３３】
一方、投光手段５は、例えば複数のＬＥＤなどを床などの任意の箇所に配設して構成されている。この投光手段５は、火災時に水幕形成手段４によって水幕３が形成されるのと連動し、例えば、水絵３に光を照射して水絵３の全体又は一部に色をつけ、水絵３、さらに水絵３の模様や、文字、記号、図を見えやすくしたり、水幕のような水絵３を挟んで一方の側から他方の側に光を照して反対側が認知しやすくなるように構成されている。
【００３４】
また、投光手段５は、複数のＬＥＤなどによって適宜単色の光を照射しても、複数色の光を照射するようにしてもよい。このとき、例えば、火災発生側に避難者が通過しないように水絵３に赤色の「×」を表示したり、避難者が避難経路側に通過するように水絵３に青色の「○」を表示すること等も考えられる。
【００３５】
さらに、投光手段５は、光が点灯、点滅、明滅などするように構成してもよく、また、光の照射状況を適宜調整できるように構成してもよい。さらに、水絵３の一方の側と他方の側の色が変わるように構成してもよい。さらに、投光手段５から照射した光によって水絵３に模様や、文字、記号、図（絵図）の少なくとも一種を形成・表示できるように構成してもよい。
【００３６】
上記のように構成した本実施形態の避難設備Ａにおいては、火災が発生し、火災検知器１などの自動通報設備や押しボタン通報設備２などの手動通報設備によってこれが検知されると、その信号を受けた制御装置１４によって圧送ポンプ７が駆動し、貯水槽６から主配管８に水Ｗが圧送され、スプリンクラー用噴出ヘッド１５から水Ｗが消火剤として噴射する。
【００３７】
また、主配管８に水Ｗが圧送されると、流水検知装置１１がこれを検知し、検知信号を制御装置１４に送る。そして、この検知信号を受けた制御装置１４が複数の開閉バルブ１０を開制御し、複数の噴出ノズル９から水Ｗを噴出させる。これにより、水絵３が形成される。
【００３８】
さらに、本実施形態の避難設備Ａでは、このとき、制御装置１４が複数の開閉バルブ１０の全て、あるいは一部を開閉制御し、複数の噴出ノズル９から出る時間当たりの水Ｗの量をそれぞれ開閉バルブ１０で制御する。このようにして開閉バルブ１０が間欠的に開閉制御されることで、各噴出ノズル９からの水Ｗの噴出量や水Ｗの噴出／停止が間欠的に制御され、図２に示した避難口誘導灯の避難シンボル１８の図柄など、水絵３にその場に適したあらゆる模様や、文字、記号、図が形成・表示される。
【００３９】
また、このような水絵３の模様や、文字、記号、図は、制御装置１４が複数の開閉バルブ１０の全て、あるいは一部を開閉制御することによって、適切な時間をあけながら繰り返し形成・表示される。
【００４０】
例えば、水絵３に形成・表示させる模様や、文字、記号、図としては、図２に示した避難口誘導灯の避難シンボル１８の図柄の他、例えば、「火災」、「地震」などの文字や、火炎の図柄、進入禁止を示す記号などが挙げられる。
【００４１】
また、制御装置１４が火災信号やスプリンクラー流水警報、地震信号等の各種事象検知信号を受け、その事象検知信号に応じた複数の開閉バルブ１０の開閉制御を行うようにすることで、上記のような複数の事象検知信号のそれぞれに対応した模様や、文字、記号、図を形成・表示するようにしてもよい。
【００４２】
これにより、水絵３を挟んで一方の側の避難者が水絵３を見ることで、避難口１７が反対側にあることや、火災が発生したこと、地震が発生したこと、反対側に行ってはいけないことなどを水絵３の模様や、文字、記号、図によって認識することができる。
【００４３】
さらに、制御装置１４が開閉バルブ１０の開閉を制御し、防火、防煙効果も発揮させながら水絵３に模様や、文字、記号、図を形成・表示することで、水絵３を挟んで一方の側から、水Ｗの噴出が途切れる等した部分を通じて他方の側（反対側）が見える。
【００４４】
これにより、水絵３の反対側の状況が分かり、例えば図２に示すように避難者が反対側の非常口誘導灯２３を認識することができる。このため、水絵３が避難者の適切な避難行動や、消防士等による迅速な消火活動・救助活動の支障になることが解消される。
【００４５】
また、本実施形態の避難設備Ａにおいては、投光手段５が、火災時（や地震時）に水絵形成手段４によって水絵３が形成されるのと連動して光を照射する。これにより、水絵３に単色、複数色の色をつけたり、時間ごとに色を変化させるなどして、火災などが発生したことを認識させることができ、さらに水絵３で形成・表示している模様や、文字、記号、図を目立たせたり、見やすくすることができる。
【００４６】
さらに、火災発生側に避難者が通過しないように水絵３に赤色の「×」を表示したり、避難者が避難経路側に通過するように水絵３に青色の「○」を表示するように構成した場合や、投光手段５から光を照射することで水絵３に模様や、文字、記号、図を形成・表示するように構成した場合には、水絵３だけでなく、投光手段５から照射した光によっても避難者の適切な避難誘導を行うことが可能になる。
【００４７】
したがって、本実施形態の避難設備Ａにおいては、制御装置１４が複数の開閉バルブ１０の全て、あるいは一部を開閉制御し、複数の噴出ノズル９から出る時間当たりの水Ｗの量をそれぞれ開閉バルブ１０で制御するように構成することによって、避難口誘導灯の避難シンボル１８の図柄など、その場に適したあらゆる模様や、文字、記号、図を示す水絵３を形成することが可能になる。
【００４８】
これにより、避難者などに、避難口１７が反対側にあることや、火災が発生したこと、地震が発生したこと、反対側に行ってはいけないことなどを水絵３の模様や、文字、記号、図によって認識させることができる。
【００４９】
また、水絵３に模様や、文字、記号、図を形成・表示することで、水幕のような水絵３を挟んで一方の側から、水Ｗの噴出が途切れる等した部分を通じて他方の側（反対側）を臨むことができる。これにより、水絵３で防火区画を形成した状態であっても、避難者や消防士等が水幕を挟んで反対側の状況を把握することが可能になる。
【００５０】
よって、本実施形態の避難設備Ａによれば、水幕のような水絵３に模様や、文字、記号、図を形成・表示することで、より好適な避難行動をとるように避難者を避難誘導することが可能になる。また、この水幕のような水絵３が避難者の適切な避難行動や、消防士等による迅速な消火活動・救助活動の支障になることないようにしながら、水絵３によって防火・防煙を図ることも可能である。
また、事象検知信号の種類に応じて水絵の表示を行うので、火災・地震などの事象に応じた対応を避難者や消防士等がとることができる。
【００５１】
また、本実施形態の避難設備Ａにおいては、制御装置１４による開閉バルブ１０を水絵３の模様や、文字、記号、図を適切な時間をあけながら繰り返し形成・表示するように構成することで、より確実に避難口１７が反対側にあることや、火災が発生したこと、地震が発生したこと、反対側に行ってはいけないことなどを水絵３の模様や、文字、記号、図によって認識させることができる。
【００５２】
また、例えば火災信号やスプリンクラー流水警報、地震信号等の各種信号を受け、その信号種に応じた複数の開閉バルブ１０の開閉制御を行うように構成することで、避難口誘導灯の避難シンボル１８の図柄や、「火災」、「地震」などの文字や、火炎の図柄、進入禁止を示す記号など、信号種に応じた模様や、文字、記号、図を形成・表示することが可能になる。これにより、さらに確実に避難口１７が反対側にあることや、火災が発生したこと、地震が発生したこと、反対側に行ってはいけないことなどを水絵３の模様や、文字、記号、図によって認識させることができる。
【００５３】
さらに、本実施形態の避難設備Ａにおいては、投光手段５が、火災時（や地震時）に水絵形成手段４によって水絵３が形成されるのと連動して光を照射することにより、水絵３の全体又は一部に単色、複数色の色をつけたり、時間ごとに色を変化させるなどして、火災などが発生したことを認識させることができる。
【００５４】
さらに、火災発生側に避難者が通過しないように水絵３に赤色の「×」を表示したり、避難者が避難経路側に通過するように水絵３に青色の「○」を表示するように構成したり、投光手段５から光を照射することで水絵３に模様や、文字、記号、図を形成・表示するように構成することができる。
【００５５】
これにより、投光手段５から照射した光によっても避難者の適切な避難誘導を行うことが可能になる。
【００５６】
以上、本発明に係る避難設備の一実施形態について説明したが、本発明は上記の一実施形態に限定されるものではなく、その趣旨を逸脱しない範囲で適宜変更可能である。
【００５７】
本発明は、あらゆる箇所に適用可能であり、例えば、トンネルの坑口などに水幕３を形成するようにし、トンネル火災の発生、トンネル事故の発生、地震の発生などを道路使用者に知らせるために本発明を適用しても構わない。
【００５８】
また、本実施形態では、避難設備がスプリンクラー設備、屋内消火栓などを備えているものとしたが、本発明は、少なくとも文字や記号、図を形成、表示しつつ水幕３を形成するための手段を備えていればよい。
【００５９】
さらに、水幕形成用の水Ｗを貯水槽６から圧送ポンプ７で供給するのではなく、水道に主配管８を直結して供給するように構成してもよい。
【００６０】
また、本実施形態では、複数の水幕用噴出ノズル９が直線状に配列されているように図示したが、必ずしも直線配列されていなくてもよい。
【符号の説明】
【００６１】
１      火災検知器
２      押しボタン通報設備
３      水絵
４      水絵形成手段
５      投光手段
６      貯水槽
７      圧送ポンプ
８      主配管
９      噴出ノズル
１０    開閉バルブ
１１    流水検知装置
１３    受信機
１４    制御装置
１５    スプリンクラー用噴出ヘッド（スプリンクラーヘッド）
１６    屋内消火栓
１７    避難口
１８    避難シンボル
２０    末端試験弁
２１    オリフィス
２２    末端試験装置
２３    非常口誘導灯
Ａ      避難設備
Ｗ      水
【図１】
2017209152.tif 000003
【図２】
2017209152.tif 000004